(57)【要約】【課題】  より使い勝手のよいユーザインターフェイスを備える映像表示装置を提供すること。【解決手段】  映像表示装置１は、入力された複数の映像を合成した合成映像を生成する合成回路１２２と、生成された合成映像を表示するディスプレイ１３と、ＣＰＵ１８とを備え、ＣＰＵ１８は、ユーザにより操作される操作器２から送られてくる操作コードを受け取ると、受け取った操作コードが、ディスプレイ１３に表示中の合成映像を構成する複数の映像のうちどの映像向けであるかを判断し、判断可能であると、受け取った操作コードに従って、その映像向けの処理を実行する。【選択図】  図６
2009218987.tif 000002
【特許請求の範囲】
【請求項１】
入力された複数の映像を合成した合成映像を生成する合成回路と、
前記合成回路で生成された合成映像を表示するディスプレイと、
ユーザにより操作される操作器から送られてくる操作コードを受け取る受信部と、
前記受信部で受信された操作コードが、前記ディスプレイに表示中の合成映像を構成する複数の映像のうちどの映像向けであるかを判断する判断部と、
前記判断部が判断可能であると、前記受信部で受信された操作コードに従って、その映像向けの処理を実行する処理部とを備える、映像表示装置。
【請求項２】
前記映像表示装置には、該映像表示装置に向けてそれぞれ映像を出力する複数の映像源が接続されており、
前記映像表示装置は、前記操作器が送信可能な操作コード毎に、該操作コードが各映像源に関連することを示す操作対象フラグを記述した操作対象テーブルを格納する格納部をさらに備え、
前記判断部は、前記格納部に格納された操作対象テーブルに基づいて、前記受信部で受信された操作コードが、前記ディスプレイに表示中の合成映像を構成する複数の映像のうちどの映像向けであるかを判断する、請求項１に記載の映像表示装置。
【請求項３】
前記格納部は、前記ディスプレイに表示される合成映像に、どの種別の映像源からの映像がいくつ用いられているかを記述した表示数テーブルをさらに格納し、
前記判断部は、前記格納部に格納された操作対象テーブルに加え、該格納部に格納された表示数テーブルに基づいて、前記受信部で受信された操作コードが、前記ディスプレイに表示中の合成映像を構成する複数の映像のうちどの映像向けであるかを判断する、請求項１に記載の映像表示装置。
【請求項４】
前記判断部が判断不能な場合に、前記ディスプレイに表示中の合成映像のいずれの映像向けか選択することをユーザに促す選択画面を、前記合成回路から出力された合成映像に重畳するＯＳＤ回路をさらに備え、
前記ディスプレイは、前記ＯＳＤ回路により選択画面が合成された合成映像を表示する、請求項１に記載の映像表示装置。
【請求項５】
前記判断部は、前記受信部で受信された操作コードが、前記ディスプレイに表示中の合成映像を構成する複数の映像のうちどの映像向けであるかを判断不能な場合、該受信部で受信された操作コードを前回の操作コードとして保持し、
前記操作器からは、前記ディスプレイに選択画面が重畳表示された後、前記ディスプレイに表示中の合成映像のいずれの映像向けかを指定する操作コードが今回の操作コードとして送信され、
前記受信部はさらに、前記操作部からの今回の操作コードを受け取り、
前記判断部は、前記受信部で受信された前回の操作コード及び今回の操作コードに基づき、前記ディスプレイに表示中の合成映像を構成する複数の映像のうちどの映像向けであるかを判断する、請求項４に記載の映像表示装置。
【発明の詳細な説明】
【技術分野】
【０００１】
本発明は、映像表示装置に関し、より特定的には、入力された複数の映像を合成表示することが可能な映像表示装置に関する。
【背景技術】
【０００２】
従来の映像表示装置の中には、２画面表示中一方の画面に枠状のハイライト（カーソル）が重畳表示されるものがある。このハイライト表示は、２画面表示においてどちらの画面が選択画面（リモコンの操作が適用される側）であるかどうかをユーザに知らせるために実行される（例えば、特許文献１参照）。
【特許文献１】特開２００７−６００４０号公報
【発明の開示】
【発明が解決しようとする課題】
【０００３】
しかしながら、従来の映像表示装置では、ユーザは、２画面表示中のいずれか一方の画面（以下、所望画面という）に対しリモコン操作を行いたい場合、下記の１）及び２）を順番に行う必要がある。
【０００４】
１）所望画面にカーソルが表示されていることを目視により確認
２）目視による確認後、リモコン操作
上記１）及び２）のうち、カーソルの目視はユーザにとっては不慣れな作業である。そのため、映像表示装置には、より使い勝手のよいユーザインターフェイスが求められる。
【０００５】
それ故に、本発明の目的は、より使い勝手のよいユーザインターフェイスを備える映像表示装置を提供することである。
【課題を解決するための手段】
【０００６】
上記目的を達成するために、本発明の一局面は、映像表示装置であって、入力された複数の映像を合成した合成映像を生成する合成回路と、合成回路で生成された合成映像を表示するディスプレイと、ユーザにより操作される操作器から送られてくる操作コードを受け取る受信部と、受信部で受信された操作コードが、ディスプレイに表示中の合成映像を構成する複数の映像のうちどの映像向けであるかを判断する判断部と、判断部が判断可能であると、受信部で受信された操作コードに従って、その映像向けの処理を実行する処理部とを備える。
【発明の効果】
【０００７】
上記映像表示装置によれば、操作器からの操作コードについて、判断部が、表示中の合成映像のいずれの映像向けであるかを判断可能であれば、処理部は、その映像向けに処理を実行する。従って、たとえ合成映像を表示中、つまり２画面表示中であっても、ユーザが操作器を操作するだけで、処理部は、ユーザが意図した映像向けに処理を実行することが可能となる。このように、上記映像表示装置によれば、表示中の合成映像のいずれの映像向けであるかを判断可能な場合には、従来必要であったカーソルの目視確認を省くことが可能になるため、従来に比べてより使い勝手のよいユーザインターフェイスを提供することが可能となる。
【発明を実施するための最良の形態】
【０００８】
図１は、本発明の一実施形態に係る映像表示装置１の周辺構成を示す図である。図１において、映像表示装置１には、映像表示装置１をユーザが操作するための操作器２と、複数の映像源３の例示であるＤＶＤプレイヤ３Ａ並びにチューナ３Ｂ及び３Ｃとが通信可能に接続される。
【０００９】
まず、図１を参照して、操作器２について説明する。操作器２は、例えばリモートコントローラであり、このリモートコントローラは、映像表示装置１をユーザが遠隔操作するための各種操作コードを送出する。そのために、操作器２は、ボタン群２１と、マイコン２２と、送信器２３とを備える。
【００１０】
ボタン群２１は、ユーザにより押下される複数のボタン又はキーからなり、ボタン又はキーのそれぞれには、映像表示装置１及び各映像源３の機能が割り当てられている。本実施形態では、図２に示すように、複数のボタン等の例示として、ボタン群２１Ｂと、ボタン２１Ｃと、アップダウンキー２１Ｄと、ボタン群２１Ｅと、アップダウンキー２１Ｆとを含んでいる。
【００１１】
ところで、本映像表示装置１は、図３に示すように、複数の映像源３からの２つの映像を左右に並べて合成した合成映像Ｅをディスプレイ１３（詳細は後述）に表示することが可能である。また、ユーザが合成映像Ｅを構成する左側映像及び右側映像のいずれか一方をユーザが選択可能なように、映像表示装置１は、図４に示すような選択画面Ｘを表示することが可能である。
【００１２】
ここで、再度図２を参照する。ボタン群２１Ｂは、左ボタン及び右ボタンからなる２方向ボタンを少なくとも含んでおり、上記選択画面Ｘの表示中に、左ボタン及び右ボタンをユーザが操作すると、左側映像及び右側映像をユーザが選択したことを示す信号がマイコン２２に送信される。
【００１３】
ボタン２１Ｃは、ユーザにより押下されると、複数の映像源３のあるものから別のものへと変更する旨を表す信号をマイコン２２に送信する。例えば、ボタン２１Ｃが押下される度に、映像表示装置１の制御の下で、映像表示装置１から出力される映像及び音声が、ＤＶＤプレイヤ３Ａ→チューナ３Ｂ→チューナ３Ｂ→ＤＶＤプレイヤ３Ａ…の順番で切り替えられる。このような順番は映像表示装置１のＲＯＭ１８ａ（図６を参照）に予め格納されている。
【００１４】
アップダウンキー２１Ｄは、ユーザにより押下されると、チューナ３Ｂ及び３Ｃの受信チャンネルを変更する旨を表す信号をマイコン２２に送信する。具体的には、アップダウンキー２１Ｄのアップキーが押下される度に、チューナ３Ｂ及び３Ｃの受信チャンネルを昇順の方向に切り替える旨、つまりチャンネルアップを表す信号が送信され、ダウンキーの押下の度に降順の方向に切り替える旨、つまりチャンネルダウンを表す信号が送信される。
【００１５】
ボタン群２１Ｅは、ユーザにより押下されると、ＤＶＤプレイヤ３Ａの再生制御を実行する旨を表す信号をマイコン２２に送信する。ボタン群２１Ｅは、例えば、停止ボタン、一時停止ボタン及び再生ボタンからなる。停止ボタンが押下されると、ＤＶＤプレイヤ３Ａの再生処理を停止する旨を表す信号がマイコン２２に送信され、一時停止ボタンが押下されると、ＤＶＤプレイヤ３Ａの再生処理を一時停止する旨を表す信号がマイコン２２に送信され、再生ボタンが押下されると、ＤＶＤプレイヤ３Ａの再生処理を開始又は再開する旨を表す信号が送信される。
【００１６】
アップダウンキー２１Ｆは、ユーザの押下に応答して、後述するスピーカ１６Ａ及び１６Ｂ（図６参照）からの出力音量を調整する旨を表す信号をマイコン２２に送信する。具体的には、アップダウンキー２１Ｆのアップキーが押下される度に、現状よりも出力音量を大きくする旨、つまりボリュームアップを表す信号が送信され、ダウンキーの押下の度に、現状よりも出力音量を小さくする旨、つまりボリュームダウンを表す信号が送信される。
【００１７】
ここで、図１を再度参照する。マイコン２２は、例えば操作器２のＲＯＭ（図示せず）に予め格納されるプログラムに従って、ユーザにより操作されたボタン等に割り当てられた機能を表す操作コードを生成する。具体的には、マイコン２２は、上記ＲＯＭに予め格納される操作コードテーブル２２１に従って操作コードを生成する。図２に例示されるボタン等が操作器２に備わる場合、操作コードテーブル２２１には図５に示すような操作コードが記述される。
【００１８】
図５において、映像選択用のボタン群２１Ｂの左ボタンが押下されると操作コード０４が、また、右ボタンが押下されると操作コード０５が生成される。
【００１９】
ボタン２１Ｃが押下されると操作コード０７が生成される。
【００２０】
アップダウンキー２１Ｄにおいて、アップキーが押下されると操作コード０８が、ダウンキーが押下されると操作コード０９が生成される。
【００２１】
ボタン群２１Ｅにおいて、停止ボタンが押下されると操作コード１０が、一時停止ボタンが押下されると操作コード１１が、また、再生ボタンが押下されると操作コード１２が生成される。
【００２２】
アップダウンキー２１Ｆにおいて、アップキーが押下されると操作コード１３が、また、ダウンキーが押下されると操作コード１４が生成される。
【００２３】
再度図１を参照する。送信器２３は、マイコン２２により生成された操作コードを、例えば赤外線信号に変換して、映像表示装置１に送信する。
【００２４】
次に、図１を参照し、複数の映像源３について説明する。各映像源３は、映像表示装置１に接続されており、映像表示装置１に向けて映像及び音声を送信する。図１では、１台のＤＶＤプレイヤ３Ａと、２台のチューナ３Ｂ及び３Ｃとが複数の映像源３として例示される。
【００２５】
ＤＶＤプレイヤ３Ａは、ＤＶＤ（Ｄｉｇｉｔａｌ  Ｖｅｒｓａｔｉｌｅ  Ｄｉｓｃ）から読み出され再生された映像Ａ及び音声Ａを映像表示装置１に送信する。また、ＤＶＤプレイヤ３Ａは、映像表示装置１から送られてくる制御信号に応答して、例えば、ＤＶＤの再生処理、再生処理の一時停止及び再生処理の停止を実行する。
【００２６】
チューナ３Ｂは、例えば地上デジタル放送等を受信し再生した番組を構成する映像Ｂ及び音声Ｂを、映像表示装置１に向けて送信する。また、チューナ３Ｂは、映像表示装置１からの制御信号に応答して、例えば、受信チャンネルの変更を実行、つまり再生すべき番組を変更する。
【００２７】
チューナ３Ｃは、チューナ３Ｂと同様に、映像表示装置１からの制御信号に従って受信チャンネルを切り替え、設定されたチャンネルの映像Ｃ及び音声Ｃを、映像表示装置１に向けて送信する。
【００２８】
次に、図６のブロック図を参照して、図１に示す映像表示装置１の内部構成について説明する。図６において、映像表示装置１は、少なくとも、映像セレクタ１１と、映像処理ＬＳＩ（Ｌａｒｇｅ  Ｓｃａｌｅ  Ｉｎｔｅｇｒａｔｉｏｎ）１２と、ディスプレイ１３と、音声セレクタ１４と、アンプ１５Ａ及び１５Ｂと、スピーカ１６Ａ及び１６Ｂと、受光素子１７と、ＣＰＵ１８とを備えている。
【００２９】
映像セレクタ１１は、複数の映像源３それぞれと入力端子群１９を介して接続されており、映像セレクタ１１には、各映像源３から出力された映像Ａ−Ｃが、入力端子群１９を介して入力される。
【００３０】
映像セレクタ１１は、各映像源３からの映像Ａ−Ｃのうち、ＣＰＵ１８からの制御信号で指定された１つを、スケーリング回路１２１Ａに出力する。同様に、映像セレクタ１１は、各映像源３からの映像Ａ−Ｃのうち、ＣＰＵ１８からの制御信号で指定された１つを、スケーリング回路１２１Ｂに出力する。
【００３１】
映像処理ＬＳＩ１２には、映像セレクタ１１から２つの映像が入力される。映像処理ＬＳＩ１２は、ＣＰＵ１８により指定される制御信号に従って処理を実行する。この処理を実現するために、映像処理ＬＳＩ１２は、上述のスケーリング回路１２１Ａ及び１２１Ｂに加え、合成回路１２２とＯＳＤ回路１２３とを備えている。
【００３２】
スケーリング回路１２１Ａは、映像セレクタ１１からの出力映像に対し所定の拡大率でスケーリングを行い、それによって得られる変倍映像Ｄａを合成回路１２２に出力する。同様に、スケーリング回路１２１Ｂは、映像セレクタ１１の出力映像に対し所定の拡大率でスケーリングを行い、それによって得られる変倍映像Ｄｂを合成回路１２２に出力する。
【００３３】
合成回路１２２は、入力された変倍映像Ｄａ及びＤｂを合成して合成映像Ｅ（図３参照）を生成する。合成映像Ｅは、入力変倍映像Ｄａ及びＤｂが表す２映像が例えば左右方向に並べられたものである。このとき、変倍映像Ｄａが左側に並べられるか、右側に並べられるかは、例えば予め定められている。以上のような合成映像Ｅは、ＯＳＤ回路１２３に出力される。
【００３４】
ＯＳＤ回路１２３は、合成回路１２２から出力された合成映像Ｅに、ＣＰＵ１８から選択画面Ｘ（図４参照）が送られてきている場合には、合成映像Ｅに選択画面Ｘを重畳して、ディスプレイ１３に出力する。それに対し、選択画面Ｘが送られてきていない場合には、入力された合成映像Ｅがそのままディスプレイ１３に出力される。
【００３５】
ディスプレイ１３は、例えばＬＣＤ（Ｌｉｑｕｉｄ  Ｃｒｙｓｔａｌ  Ｄｉｓｐｌａｙ）からなり、ＯＳＤ回路１２３から出力された合成映像Ｅ（図３参照）を表示する。また、ディスプレイ１３は、ＣＰＵ１８が選択画面Ｘを送出している場合には、該選択画面Ｘが重畳された合成映像Ｅ（図４参照）を表示する。
【００３６】
音声セレクタ１４は、複数の映像源３それぞれと入力端子群１１０を介して接続されており、音声セレクタ１４には、各映像源３から出力された音声信号Ａ−Ｃが入力端子群１１０を介して入力される。
【００３７】
音声セレクタ１４は、各映像源３から送信されてくる音声Ａ−Ｃのうち、ＣＰＵ１８からの制御信号で指定された１つを、アンプ１５Ａに出力する。同様に、音声信号Ａ−Ｃのうち、ＣＰＵ１８からの制御信号で指定された１つをアンプ１５Ｂに音声セレクタ１４は出力する。
【００３８】
アンプ１５Ａは、入力音声（音声Ａ−Ｃのいずれか）を、ＣＰＵ１８からの制御信号で指定される増幅率で増幅して、増幅音声Ｄａを生成しスピーカ１６Ａに出力する。また、アンプ１５Ｂは、入力音声（音声Ａ−Ｃのいずれか）を、ＣＰＵ１８からの制御信号で指定される増幅率で増幅して、増幅音声Ｄｂを生成しスピーカ１６Ｂに出力する。
【００３９】
スピーカ１６Ａ及び１６Ｂは、アンプ１５Ａ及び１５Ｂから出力された増幅音声Ｄａ及びＤｂを出力する。
【００４０】
受光素子１７は、操作器２から送られてくる赤外線信号を受信し、電気信号に変換する。変換された電気信号はＣＰＵ１８に送られる。
【００４１】
ＣＰＵ１８は、自身に接続されたＲＯＭ１８ａに予め格納されたプログラムに従って処理を実行する。処理実行時、ＣＰＵ１８は、上記ＲＯＭ１８ａに予め格納される操作対象テーブル１８１（図７参照）と、表示数テーブル１８２（図８参照）と、制御内容テーブル１８３（図９参照）とを使う。
【００４２】
図７において、操作対象テーブル１８１には、前述の操作コード毎に、映像源３の各種別用の操作対象フラグが記述される。本実施形態では、映像源３として、ＤＶＤプレイヤ３Ａ、チューナ３Ｂ及び３Ｃが例示されるので、映像源３の種別としては、ＤＶＤプレイヤ及びチューナがある。操作対象フラグは、対象となる操作コードが、対象となる種別の映像源３にのみ関連するか否かを示す。本実施形態では、操作対象フラグ「０」は対象種別の映像源３のみには関連しないことを示し、操作対象フラグ「１」は対象種別の映像源３のみに関連することを示す。
【００４３】
具体的には、操作コード０４及び０５は、合成映像を構成する左側映像か右側映像をユーザが選択する際に用いられ、映像源３の種別に関連して用いられる性質のものではない。よって、操作コード０４及び０５に対しては、ＤＶＤプレイヤ用及びチューナ用それぞれの操作対象フラグとして「０」が割り当てられる。
【００４４】
操作コード０７は、入力切り替え用に割り当てられ、映像源３の種別に関連して用いられる性質のものである。よって、操作コード０７に対しては、ＤＶＤプレイヤ用及びチューナ用それぞれの操作対象フラグとして「１」が割り当てられる。
【００４５】
操作コード０８及び０９に関しては、チャンネル切り替え用に割り当てられ、映像源３のうち、チューナ３Ｂ及び３Ｃに関連して用いられる性質のものである。よって、操作コード０８及び０９に対しては、チューナ用の操作対象フラグに限り「１」が割り当てられる。
【００４６】
操作コード１０、１１及び１２に関しては、ＤＶＤ再生制御用に割り当てられ、映像源３のうち、ＤＶＤプレイヤ３Ａに関連して用いられる性質のものである。よって、操作コード１０、１１及び１２に対しては、ＤＶＤプレイヤ用の操作対象フラグに限り「１」が割り当てられる。
【００４７】
操作コード１３及び１４に関しては、音量切り替え用に割り当てられ、ＤＶＤプレイヤ３Ａ並びにチューナ３Ｂ及び３Ｃに関連して用いられる性質のものである。よって、操作コード１３及び１４に対しては、ＤＶＤプレイヤ用及びチューナ用それぞれの操作対象フラグとして「１」が記述される。
【００４８】
また、図８に示すように、表示数テーブル１８２には、表示モード毎に、ＤＶＤプレイヤからの映像の表示数とチューナからの映像の表示数との組み合わせが記述される。
【００４９】
本実施形態では、映像源３として、ＤＶＤプレイヤ３Ａ、チューナ３Ｂ及び３Ｃが例示される。合成映像における左側映像及び右側映像の組み合わせを表示モードと定義すると、表示モードとしては、図８に示す通り、２種類の表示モードＡ及びＢが例示される。表示モードＡでは、合成映像の左側及び右側の一方がＤＶＤプレイヤ３Ａの映像で、他方がチューナ３Ｂの映像である。表示モードＢでは、合成映像の左側及び右側の一方がチューナ３Ｂで、他方がチューナ３Ｃである。
【００５０】
表示数テーブル１８２には、表示モード毎に、合成映像中に、どの種別の映像源３の映像をいくつ含むかが記述される。表示モードＡの場合、ＤＶＤプレイヤの表示数が「１」で、チューナの表示数が「１」である。また、表示モードＢの場合、ＤＶＤプレイヤの表示数が「０」で、チューナの表示数が「２」である。
【００５１】
また、図９に示すように、制御内容テーブル１８３には、前回及び今回の操作コードの組み合わせ毎に、制御信号の送信先及び内容の組み合わせが記述される。
【００５２】
本実施形態では、前回の操作コードが０７で、今回のものが０４の場合、制御信号の送信先として映像セレクタ１１が、また、制御信号の内容として左側映像の切り替えが記述されている。
【００５３】
前回が０７で、今回が０５の場合、制御信号の送信先として映像セレクタ１１が、また、制御信号の内容として右側映像の切り替えが記述されている。
【００５４】
前回が０８で、今回が０４の場合、制御信号の送信先として、左側映像を出力しているチューナ（図示は、左側担当のチューナ）が、また、制御信号の内容としてチャンネルアップが記述されている。
【００５５】
前回が０８で、今回が０５の場合、制御信号の送信先として、右側映像を出力しているチューナ（図示は、右側担当のチューナ）が、また、制御信号の内容としてチャンネルアップが記述されている。
【００５６】
前回が０９で、今回が０４の場合、制御信号の送信先として、左側映像を出力しているチューナが、また、制御信号の内容としてチャンネルダウンが記述されている。
【００５７】
前回が０９で、今回が０５の場合、制御信号の送信先として、右側映像を出力しているチューナが、また、制御信号の内容としてチャンネルダウンが記述されている。
【００５８】
前回が１３で、今回が０４の場合、制御信号の送信先として、左側音声を出力するスピーカ１６Ａの前段のアンプ１５Ａが、また、制御信号の内容として音量アップが記述されている。
【００５９】
前回が１３で、今回が０５の場合、制御信号の送信先として、アンプ１５Ｂが、また、制御信号の内容として音量アップが記述されている。
【００６０】
前回が１４で、今回が０４の場合、制御信号の送信先として、左側音声を出力するスピーカ１６Ａの前段のアンプ１５Ａが、また、制御信号の内容として音量ダウンが記述されている。
【００６１】
前回が１４で、今回が０５の場合、制御信号の送信先として、アンプ１５Ｂが、また、制御信号の内容として音量ダウンが記述されている。
【００６２】
次に、上記のような構成を有する映像表示装置１、操作器２及び各映像源３の処理について説明する。
【００６３】
まず、映像表示装置１の初期的な処理について説明する。映像処理装置１において、ＣＰＵ１８は、現在表示中の合成映像Ｅの左側映像を出力する映像源３と、その右側映像を出力する映像源３との組み合わせを、組み合わせ情報として、例えばＲＡＭ（図示せず）に記憶する。このような組み合わせとしては、（左側，右側）＝（ＤＶＤ３Ａ，チューナ３Ｂ）が例示される。
【００６４】
次に、操作器２の処理について説明する。ユーザがボタン群２１を構成するボタン等を押下すると、押下されたボタン等から信号がマイコン２２へと送信される。マイコン２２は、ボタン等からの信号を受信すると、操作コードテーブル２２１を参照して、操作されたボタン等に割り当てられた操作コードを取り出し、送信器２３に送信する。送信器２３は、受信した操作コードを赤外線信号に変換して、映像表示装置１に向けて送出する。
【００６５】
次に、操作器２から操作コードが到着したときの映像表示装置１他の処理について、図１０のフローチャートを参照して説明する。映像表示装置１において、受光素子１７は、操作器２から送出された赤外線信号を受信すると、受信信号を電気信号、つまり操作コードに変換する。こうして得られた操作コードはＣＰＵ１８に送信される。
【００６６】
ＣＰＵ１８は、受光素子１７からの操作コードを受信すると（ステップＳ１０１）、操作対象テーブル１８１（図７参照）を参照する（ステップＳ１０２）。その後、ＣＰＵ１８は、今回受信した操作コードに割り当てられた操作対象フラグの両方が「０」か否かを判断する（ステップＳ１０３）。
【００６７】
ステップＳ１０３でＮｏと判断すると、ＣＰＵ１８は、今回受信した操作コードに割り当てられた操作対象フラグの両方が「１」か否かを判断する（ステップＳ１０４）。
【００６８】
ステップＳ１０４でＮｏと判断すると、ＣＰＵ１８は、操作対象テーブル１８１において、今回の操作コード向けのＤＶＤ用の操作対象フラグが「１」か否かを判断する（ステップＳ１０５）。
【００６９】
ステップＳ１０５でＹｅｓの場合、今回の操作コードはＤＶＤ再生制御用の１０、１１又は１２である。従って、ＣＰＵ１８は、今回の操作コードが映像表示装置１に唯一接続されるＤＶＤプレイヤ３Ａ向けであることが特定できる。それゆえ、ＣＰＵ１８は、ＤＶＤプレイヤ３Ａ向けに制御信号を生成し送出する（ステップＳ１０６）。ここで、操作コードが１０であれば、再生停止用の制御信号が生成され、操作コードが１１であれば、一時停止用の制御信号が生成され、また、操作コードが１２であれば、再生用の制御信号が生成される。
【００７０】
ＤＶＤプレイヤ３Ａは、受信した制御信号に応答してＤＶＤの再生制御を行う（ステップＳ１０７）。具体的には、制御信号の内容に応じて、ＤＶＤの再生処理が停止されるか、ＤＶＤの再生が一時停止されるか、ＤＶＤの再生が開始・再開される。
【００７１】
また、ステップＳ１０５でＮｏと判断されると、ＣＰＵ１８は、操作対象テーブル１８１において、今回の操作コード向けのチューナ用の操作対象フラグが「１」か否かを判断する（ステップＳ１０８）。
【００７２】
ステップＳ１０８でＹｅｓの場合、今回の操作コードはチャンネル切り替え用の０８又は０９である。従って、ＣＰＵ１８は、今回の操作コードが映像表示装置１に複数接続されるチューナ３Ｂか３Ｃ向けであることを認識できるが、いずれのチューナ向けであるかを一義的には特定できない。
【００７３】
そこで、ＣＰＵ１８は、表示数テーブル１８２を参照する（ステップＳ１０９）。具体的には、ＣＰＵ１８は、現在保持する組み合わせ情報をチェックして、表示数テーブル１８２において、現在の表示モードを特定する。例えば、前述の通り、（左側，右側）＝（ＤＶＤ３Ａ，チューナ３Ｂ）であれば、表示モードがＡであることが特定される。
【００７４】
次に、ＣＰＵ１８は、現在の表示モードに割り当てられたチューナ用の表示数を取得し、それが「１」か否かを判断する（ステップＳ１１０）。
【００７５】
ステップＳ１１０でＹｅｓと判断した場合、映像表示装置１は、チューナ３Ｂ及び３Ｃのいずれか一方のみの映像を合成映像Ｅに用いていることになる。この場合、今回の操作コードが、現在映像を出力しているチューナ（チューナ３Ｂ，３Ｃのいずれか一方）向けであることが特定される。それゆえ、ＣＰＵ１８は、上記組み合わせ情報に記述されるチューナ３Ｂ及び３Ｃのいずれか一方向けに制御信号を生成し送出する（ステップＳ１１１）。
【００７６】
チューナ３Ｂ及び３Ｃのいずれか一方は、受信した制御信号に応答して、受信チャンネルの切り替えを行う（ステップＳ１１２）。具体的には、制御信号の内容に応じて、昇順方向にチャンネルが切り替えるか、降順方向にチャンネルが切り替えられる。
【００７７】
例えば、前述の通り、組み合わせ情報が（左側，右側）＝（ＤＶＤ３Ａ，チューナ３Ｂ）であれば、今回の操作コードはチューナ３Ｂ向けであることが特定される。この場合、ＣＰＵ１８は、チューナ３Ｂに向けて制御信号を送出する。また、操作コードが０８であれば、チャンネルアップ用の制御信号が生成され、操作コードが０９であれば、チャンネルダウン用の制御信号が生成される。この場合、チューナ３Ｂがチャンネルの切り替えを行う。
【００７８】
また、ステップＳ１０４でＹｅｓと判断されるか、ステップＳ１０８でＮｏと判断されるか、ステップＳ１１０でＮｏと判断されると、ＣＰＵ１８はステップＳ１１３を行う。ステップＳ１１３は、ＣＰＵ１８は、今回受信した操作コードがどの映像源３向けのものかを一義的に特定できない場合に行われる。このような場合としては、まず、今回の操作コードが０７、１３又は１４の場合がある。他にも、合成映像Ｅの左側映像がチューナ３Ｂの出力映像で右側映像がチューナ３Ｃの出力映像であって、かつ操作コード０８又は０９を受信した場合がある。本段落で挙げられた操作コードは、前回の操作コードとして例えばＲＡＭ（図示せず）に記憶される（ステップＳ１１３）。
【００７９】
上記の通り、今回の操作コードがどの映像源３向けのものかを一義的に特定できない場合、ＣＰＵ１８は、前述の選択画面Ｘを制御信号としてＯＳＤ回路１２３に送出する（ステップＳ１１４）。
【００８０】
ＯＳＤ回路１２３は、ＣＰＵ１８から選択画面Ｘを受け取ると、合成回路１２２からの合成映像Ｅに、受け取った選択画面Ｘを重畳して、ディスプレイ１３に出力し、図４に示すように表示させる（ステップＳ１１５）。これによって、ユーザに、今回の操作コードが右側映像向けであるのか、左側映像向けであるのかを、ボタン２１Ｂにより選択するよう促す。
【００８１】
選択画面Ｘの表示に応答して、ユーザは、ボタン群２１Ｂの左ボタン及び右ボタンのいずれか一方を操作する。この操作に応答して、マイコン２２は、操作コードテーブル２２１を参照して、操作されたボタン等に割り当てられた操作コード０４又は０５を取り出し、送信器２３に送信する。送信器２３は、受信した操作コードを赤外線信号に変換して、映像表示装置１に向けて送出する。
【００８２】
ＣＰＵ１８は、受光素子１７からのさらなる操作コードを受信すると（ステップＳ１０１）、前述同様に、ステップＳ１０２→Ｓ１０３を行う。ここで、操作コード０４及び０５のついては、図７に示す通り、操作対象フラグは、ＤＶＤ用及びチューナ用いずれも「０」である。
【００８３】
以上のことから、ＣＰＵ１８は、ステップＳ１０３でＹｅｓと判断し、図９に示す制御内容テーブル１８３を参照して、制御信号の送信先と内容を決定する（ステップＳ１１６）。
【００８４】
具体的には、前回の操作コードが０７で、今回の操作コードが０４の場合、制御内容テーブル１８３を参照して、制御信号の送信先が映像セレクタ１１で、制御信号の内容が左側映像の切り替えであると決定する。
【００８５】
また、前回が０８で、今回が０４の場合、制御信号の送信先が左側映像を出力しているチューナ（図示は、左側担当のチューナ）と、また、制御信号の内容がチャンネルアップと決定される。ＣＰＵ１８はさらに、前述の組み合わせ情報を参照して、左側映像の出力しているのがチューナ３Ｂであるかチューナ３Ｃであるかを特定する。
【００８６】
また、前回が０８で今回が０５の場合、前回が０８で今回が０４である場合と同じ要領で、制御信号の送信先及び内容が決定される。前回が０９で今回が０４の場合、及び前回が０９で今回が０５の場合も、同じ要領で決定される。
【００８７】
前回が１３で今回が０４の場合、制御信号の送信先及び内容は、アンプ１５Ａ及び音量アップと決定される。前回が１３で今回が０５の場合、前回が１４で今回が０４の場合、さらに、前回が１４で今回が０５の場合も同じ要領で決定される。
【００８８】
以上のようにして制御信号の送信先及び内容が決定されると、ＣＰＵ１８は、その決定に従って制御信号を生成し送出する（ステップＳ１１７）。
【００８９】
また、制御信号の内容に従って各種処理が実行される（ステップＳ１１８）。具体的には、映像セレクタ１１は、左側映像又は右側映像の切り替えを行い、チューナ３Ｂ又は３Ｃは、チャンネルのアップ又はダウンを行い、アンプ１５Ａ又は１５Ｂは、音量アップ又は音量ダウンを行う。なお、映像セレクタ１１が右側映像又は左側映像を切り替えた場合、ＣＰＵ１８は、ＲＡＭの組み合わせ情報を更新する。
【００９０】
次に、映像表示装置１における特徴的な処理例を具体的に説明する。
【００９１】
例えば、現在、図１１の上段に示すように、左側にＤＶＤプレイヤ３Ａの映像を、右側にチューナ３Ｂの映像をつなぎ合わせた合成映像Ｅをディスプレイ１３が表示しており、このような合成映像を二人のユーザが視聴していると仮定する。
【００９２】
上記仮定下にて、一方のユーザは、例えばＤＶＤプレイヤ３の再生を一時停止させたいと思い、ボタン群２１Ｅの一時停止ボタン（図２参照）を押下したとする。この場合、操作器２からは、操作コード１１が映像表示装置１に送信される。映像表示装置１が操作コード１１を受信すると、ステップＳ１０２において、ＣＰＵ１８は、操作対象テーブル１８１（図７参照）を参照して、操作コード１１に対応する操作対象フラグをチェックする。この場合、ＤＶＤプレイヤ用の操作対象フラグは１で、チューナ用の操作対象フラグは「０」であるから、ＣＰＵ１８は、ステップＳ１０３及びＳ１０４においてＮｏと判断した後、ステップＳ１０５においてＹｅｓと判断する。
【００９３】
上記の場合、ＣＰＵ１８は、今回の操作がＤＶＤプレイヤ３Ａに向けられていると一義的に判断できるため、ステップＳ１０６において、制御信号（一時停止用）をＤＶＤプレイヤ３Ａに送信する。ＤＶＤプレイヤ３Ａは、受信した制御信号（一時停止用）に応答して、図１１の下段左側に示すようにＤＶＤの再生を一時停止する（ステップＳ１０７）。
【００９４】
また、上記仮定下で、他方のユーザが例えばチューナ３Ｂのチャンネルを切り替えたいと思い、アップダウンキー２１Ｄのアップキーが押下されたと仮定する。この場合、操作器２からは、操作コード０８が映像表示装置１に送信される。映像表示装置１が操作コード０８を受信すると、ステップＳ１０２において、ＣＰＵ１８は、操作対象テーブル１８１（図７参照）を参照して、操作コード０８に対応する操作対象フラグをチェックする。この場合、ＤＶＤプレイヤ用の操作対象フラグは０で、チューナ用のそれは「１」であるから、ＣＰＵ１８は、ステップＳ１０３−Ｓ１０５においてＮｏと判断した後、ステップＳ１０８においてＹｅｓと判断する。
【００９５】
次に、ＣＰＵ１８は、表示数テーブル１８２（図８参照）を参照して、現在の表示モードにおける表示数をチェックする。この場合、ＤＶＤプレイヤ用の表示数は「１」で、チューナ用の表示数は「１」であるから、ＣＰＵ１８は、今回の操作がチューナ３Ｂに向けられていると一義的に判断できるため、ステップＳ１１１において、制御信号（チャンネルアップ）をチューナ３Ｂに送信する。チューナ３Ｂは、ステップＳ１１２において受信した制御信号（一時停止用）に応答して、受信チャンネルを昇順方向に一段階アップする。
【００９６】
以上説明したように、本映像表示装置１によれば、ＣＰＵ１８は、所定条件が合致する場合、つまり、受信した操作コードが表示中の合成映像Ｅの左右いずれの映像向けであるかを判断可能であれば、即座に制御信号を生成し送出するので、上記の通り、ＤＶＤプレイヤ３Ａやチューナ３Ｂは、左右いずれかの映像向けに処理を実行する。従って、たとえ合成映像Ｅを表示中、つまり２画面表示中であっても、ユーザが操作器２を操作するだけで、ＣＰＵ１８は、ユーザが意図した左右いずれかの映像向けに処理を実行することが可能となる。このように、本映像表示装置１によれば、操作コードが表示中の合成映像Ｅのいずれの映像向けであるかを判断可能な場合には、従来必要であったカーソルの目視確認を省くことが可能になるため、従来に比べてより使い勝手のよいユーザインターフェイスを提供することが可能となる。
【００９７】
また、現在、図１２の上段に示すように、左側にチューナ３Ｂの映像を、右側にチューナ３Ｃの映像をつなぎ合わせた合成映像Ｅをディスプレイ１３が表示しており、このような合成映像を二人のユーザが視聴していると仮定する。
【００９８】
上記仮定下にて、一方のユーザが、例えばチューナ３Ｂのチャンネルをアップさせたいと思い、ボタン群２１Ｄのアップキー（図２参照）を押下したとする。この場合、操作器２からは、操作コード０８が映像表示装置１に送信される。映像表示装置１が操作コード０８を受信すると、ステップＳ１０２において、ＣＰＵ１８は、操作対象テーブル１８１（図７参照）を参照して、操作コード０８に対応する操作対象フラグをチェックする。この場合、ＤＶＤプレイヤ用の操作対象フラグは「０」で、チューナ用の操作対象フラグは「１」であるから、ＣＰＵ１８は、ステップＳ１０３−Ｓ１０５においてＮｏと判断した後、ステップＳ１０８においてＹｅｓと判断する。
【００９９】
上記の場合、ＣＰＵ１８は、ステップＳ１０９において、表示数テーブル１８２を参照して、今回の表示モードに応じたチューナ向けの表示数が「２」であることを認識する。その後、ＣＰＵ１８は、ステップＳ１１３−Ｓ１１５を行って、図１２の中段に示すように、選択画面Ｘを表示させる。ユーザは、表示された選択画面Ｘに促され。例えば、ボタン群２１Ｂの左ボタンを押下する。操作器２からは、操作コード０４が映像表示装置１に送信される。映像表示装置１が操作コード０４を受信すると、ＣＰＵ１８は、操作対象テーブル１８１（図７参照）を参照して、操作コード０４に対応する操作対象フラグをチェックする。この場合、ＤＶＤプレイヤ用の操作対象フラグは０で、チューナ用のそれは０であるから、ＣＰＵ１８は、ステップＳ１０３においてＹｅｓと判断する。
【０１００】
次に、ＣＰＵ１８は、ステップＳ１１５において、前回の操作コードが０８で、今回の操作コードが０４であることから、制御内容テーブル１８３（図９参照）を参照して、左側映像を出力中のチューナを制御信号の送信先として、さらにチャンネルアップを制御信号の内容として決定する。また、現在保持する組み合わせ情報から、左側映像を出力中のチューナがチューナ３ＢであることをＣＰＵ１８は把握する。
【０１０１】
その後、ＣＰＵ１８は、ステップＳ１１７において、制御信号（チャンネルアップ）をチューナ３Ｂに送信する。チューナ３Ｂは、ステップＳ１１２において受信した制御信号（一時停止用）に応答して、受信チャンネルを昇順方向に一段階アップする。これによって、図１２の下段に示すように、ディスプレイ１３には、合成映像Ｅの左側映像としてチャンネル切り替えされたチューナ３Ｂの映像が表示される。
【０１０２】
なお、以上の実施形態では、映像表示装置１は合成映像Ｅを表示するものとして説明したが、これに限らず、単一の映像源３からの映像及び音声を出力するモードを備えていても構わない。
なお、以上の実施形態では、操作器２がリモートコントローラであるとして説明を行ったが、それ以外にも、操作器２は、映像表示装置１に備わるタッチパネルでも、ＥＳＷ（エスカッションスイッチ）でもよい。タッチパネルの場合は、リモートコントローラの各操作ボタンを、ディスプレイ１３の画面上に表示されるソフトウェアスイッチに、また、ＥＳＷであれば、映像表示装置１の外装体に配置されるハードウェアスイッチに置換すれば良い。
なお、以上の実施形態では、操作器２は赤外線信号を送信するとして説明を行ったが、それに限定されること無く、無線信号が送信されても構わないし、操作器２と映像表示装置１とが有線で接続されたり、操作器２がタッチパネル又はＥＳＷで実現されたりする場合には電気信号が送信されても構わない。
【０１０３】
なお、以上の実施形態では、スケーリング回路１２１Ａ及び１２１Ｂは、１画面モード及び２画面モードの際、入力映像信号に対しスケーリング処理を実行するとして説明したが、この際の縦横それぞれの拡大率は１００％（等倍）の場合もある。これからも明らかなように、スケーリング回路１２１Ａ及び１２１Ｂは任意の付加的な構成である。
【０１０４】
なお、以上の実施形態ではディスプレイ１３はＬＣＤであるとして説明を行ったが、これに限らず、ＣＲＴ（Ｃａｔｈｏｄｅ  Ｒａｙ  Ｔｕｂｅ）、有機ＥＬ（Ｅｌｅｃｔｒｏ−Ｌｕｍｉｎｅｓｅｎｃｅ）、及びプラズマディスプレイなどのディスプレイ、プロジェクタにより投影された映像を映すスクリーン、並びにヘッドアップディスプレイのうち、いずれか１つ以上により構成されても構わない。
【０１０５】
なお、本実施形態では、映像表示装置１がスピーカ１６Ａ及び１６Ｂを備えるとして説明したが、スピーカ１６Ａ及び１６Ｂはそれぞれ、例えば、ヘッドフォン用の出力端子に置換しても構わない。つまり、スピーカ１６Ａ及び１６Ｂは任意の付加的な構成である。
【０１０６】
なお、本実施形態では、映像表示装置１は受光素子１７を備えるものとして説明したが、これに限らず、もし、操作器２側から電気信号が送られてくる場合には、受光素子１７はアンテナ又は受信器に置換される。
【産業上の利用可能性】
【０１０７】
本発明に係る映像表示装置は、使い勝手の良さが求められる、２画面表示可能な映像表示装置に好適である。
【図面の簡単な説明】
【０１０８】
【図１】本発明の一実施形態に係る映像表示装置１の周辺構成を示す図
【図２】図１のボタン群２１の配置例を示す図
【図３】図１の映像表示装置１で表示される合成映像Ｅを例示する図
【図４】図１の映像表示装置１で表示される選択画面Ｘを例示する図
【図５】図１のマイコン２２が用いる操作コードテーブル２２１の構成例を示す図
【図６】図１の映像表示装置１の構成を示すブロック図
【図７】図１に示すＣＰＵ１８が用いる操作対象テーブル１８１の構成例を示す図
【図８】図１に示すＣＰＵ１８が用いる表示数テーブル１８２の構成例を示す図
【図９】図１に示すＣＰＵ１８が用いる制御内容テーブル１８３の構成例を示す図
【図１０】図１に示す映像表示装置１の処理を示すフローチャート
【図１１】図１に示す映像表示装置１の処理の第１の具体例を示す図
【図１２】図１に示す映像表示装置１の処理の第２の具体例を示す図
【符号の説明】
【０１０９】
１  映像表示装置
１１  映像セレクタ
１２  映像処理ＬＳＩ
１２１Ａ，１２１Ｂ  スケーリング回路
１２２  合成回路
１２３  ＯＳＤ回路
１３  ディスプレイ
１４  音声セレクタ
１５Ａ，１５Ｂ  アンプ
１６Ａ，１６Ｂ  スピーカ
１７  受光素子
１８  ＣＰＵ
１８ａ  ＲＯＭ
２  操作器
２１  ボタン群
２２  マイコン
２３  送信器
３  複数の映像源
３Ａ  ＤＶＤプレイヤ
３Ｂ，３Ｃ  チューナ
【図１】
2009218987.tif 000003
【図２】
2009218987.tif 000004
【図３】
2009218987.tif 000005
【図４】
2009218987.tif 000006
【図５】
2009218987.tif 000007
【図６】
2009218987.tif 000008
【図７】
2009218987.tif 000009
【図８】
2009218987.tif 000010
【図９】
2009218987.tif 000011
【図１０】
2009218987.tif 000012
【図１１】
2009218987.tif 000013
【図１２】
2009218987.tif 000014